(57)【要約】【課題】相互に異なる幅の複数枚の原稿が混在していても、これらの原稿を正確に案内することが可能な原稿送り装置を提供する。【解決手段】可動ガイド板２２のガイド片部２２ｂ及び原稿検知板２３の検知片部２３ｂが搬送路６上方に突出した状態では、ガイド片部２２ｂにより原稿Ｐの一方の側片を案内することが可能である。原稿トレイ１から搬送されて来た原稿Ｐが原稿検知板２３の検知片部２３ｂの部位を通過するときには、可動ガイド板２２のガイド片部２２ｂ及び原稿検知板２３の検知片部２３ｂが搬送路６下方に沈み込み、原稿Ｐがガイド片部２２ｂ及び検知片部２３ｂの上を通過して行く。【選択図】図１
2007153532.tif 000002
【特許請求の範囲】
【請求項１】
原稿を引き出して送り出す原稿送り装置において、
原稿の搬送路に対して突出したり退いたりする様に移動可能に支持され、原稿の搬送路に突出しているときに該原稿の側辺を案内する可動ガイド部と、
前記搬送路の原稿を検知する原稿検知部と、
前記原稿検知部により前記搬送路の原稿が検知されたときに前記可動ガイド部を原稿の搬送路から退かせる原稿連動手段とを備えることを特徴とする原稿送り装置。
【請求項２】
前記可動ガイド部により原稿の一方の側辺を案内しているときに該原稿の他方の側辺を案内するガイド板を備え、
前記原稿検知部は、前記可動ガイド部よりも前記ガイド板から離間した位置にかつ前記可動ガイド部よりも原稿搬送方向上流側に設けられることを特徴とする請求項１に記載の原稿送り装置。
【請求項３】
前記原稿の幅方向に接近及び離間可能に支持され、原稿の両側辺を案内する一対のガイド板と、
前記原稿の幅方向への前記各ガイド板の移動に伴い、該各ガイド板の移動に連動して前記可動ガイド部及び前記原稿検知部を前記原稿の幅方向に移動させるガイド板連動手段とを備えることを特徴とする請求項１に記載の原稿送り装置。
【請求項４】
前記原稿連動手段は、前記原稿検知部により前記搬送路の原稿が検知されたときに前記可動ガイド部を駆動制御して前記原稿の搬送路から退かせることを特徴とする請求項１に記載の原稿送り装置。
【請求項５】
原稿搬送方向と直交する方向に並設された複数組の前記可動ガイド部と前記原稿検知部を備え、
前記原稿連動手段は、前記各原稿検知部の少なくとも１つにより前記搬送路の原稿が検知されたときに前記原稿を検知した原稿検知部よりも該原稿が存在する側に位置する全ての可動ガイド部を該原稿の搬送路から退かせることを特徴とする原稿送り装置。
【発明の詳細な説明】
【技術分野】
【０００１】
本発明は、原稿を読取って複写したり送信する複写機やファクシミリ装置等に設けられ、原稿を原稿トレイから引き出して送り出す原稿送り装置に関する。
【背景技術】
【０００２】
この種の装置では、図１９の側面図及び図２０の平面図に示す様に原稿Ｐが原稿トレイ１０１に置かれると、原稿Ｐの先端近傍に呼び込みローラ１０２を接触させ、この呼び込みローラ１０２を回転させることにより原稿Ｐを引き出して送り出す様にしている。この原稿Ｐは、更に原稿を1枚ずつに分離するサバキローラ１０３を通じてＰＳローラ１０４へと搬送され、ＰＳローラ１０４からスキャナー（図示せず）へと搬送されて、このスキャナーで該原稿の画像を読取られる。
【０００３】
また、図２０の点線で示す様に呼び込みローラ１０２により引き出された原稿Ｐが斜めになって斜行し、原稿Ｐがそのままスキャナーまで搬送されて読取られると、原稿Ｐの画像が斜めに読取られてしまう。このため、原稿Ｐの先端をＰＳローラ１０４に当接して揃えられてから、原稿Ｐをスキャナーへと搬送している。
【０００４】
しかしながら、原稿Ｐを呼び込みローラ１０２により引き出すときに原稿Ｐが大きく斜行すると、原稿ＰをＰＳローラ１０４に当接させるだけでは、原稿Ｐの先端をＰＳローラ１０４と平行にすることができなくなる。
【０００５】
また、原稿Ｐの先端をＰＳローラ１０４に当接させて揃えることができたとしても、このときには原稿Ｐの向きが変わって、図２１に示す様に原稿Ｐの中心線Ｐｉがスキャナーによる原稿の読取り中心Ｓ１からずれてしまう。このずれ量が僅かであっても、スキャナーによる原稿の縁の読取りが不可能になるため、原稿の縁に余白が無いときには原稿の読取り不良となる。
【０００６】
このため、原稿を案内する一対のガイド板１０５を原稿トレイ１０１に設け、これらのガイド板１０５により原稿の斜行を防止する様にしている。また、各ガイド板１０５を原稿の読取り中心に対して対称移動可能に設けておき、原稿の幅に応じて各ガイド板１０５間の距離を調節して、原稿の読取り中心をずらさずに、各ガイド板１０５により様々な幅の原稿を案内することができる様にしている。
【０００７】
ところが、一対のガイド板１０５を設けても、各ガイド板１０５間に載置された複数枚の原稿の幅が相互に異なっていたならば、最大幅の原稿のみが各ガイド板１０５により案内され、狭い幅の原稿が案内されないので、狭い幅の原稿の斜行が発生してしまう。
【０００８】
通常は、同一サイズの原稿が搬送されて読取られるので、各ガイド板１０５により全ての原稿が正確に案内される。ところが、相互に異なる幅の複数枚の原稿を混在させて読取るという使用状況もあり、この場合は、これらの原稿を原稿トレイに載置しても、各ガイド板１０５により全ての原稿が案内されず、狭い幅の原稿が斜行してしまい、その読取り不良が起こる。
【０００９】
一方、特許文献１には、相互に異なるサイズの原稿を上下に重ね合わせて載置して、サイズ別に、原稿を案内するという技術が開示されている。例えば、狭い幅の原稿を下側にし、広い幅の原稿を上側にして、複数枚の原稿を重ね合わせると、狭い幅の原稿及び広い幅の原稿のいずれもが案内される。
【特許文献１】特開平２−３１０２１８号公報
【発明の開示】
【発明が解決しようとする課題】
【００１０】
しかしながら、特許文献１では、狭い幅の原稿を１束にまとめかつ広い幅の原稿を１束にまとめる必要があり、狭い幅の原稿と広い幅の原稿が交互に交じり合っていると、これらの原稿の全てを案内することができず、原稿の斜行が発生した。
【００１１】
先に述べた様な相互に異なる幅の複数枚の原稿を混在させて読取るという使用状況は、多様な幅の原稿が交互に交じり合っている状況である。従って、この様な使用状況に対しては特許文献１の技術で対応することができない。
【００１２】
そこで、本発明は、上記従来の問題に鑑みてなされたものであり、相互に異なる幅の複数枚の原稿が混在していても、これらの原稿の全てを案内することが可能な原稿送り装置を提供することを目的とする。
【課題を解決するための手段】
【００１３】
上記課題を解決するために、本発明の原稿送り装置は、原稿を引き出して送り出す原稿送り装置において、原稿の搬送路に対して突出したり退いたりする様に移動可能に支持され、原稿の搬送路に突出しているときに該原稿の側辺を案内する可動ガイド部と、前記搬送路の原稿を検知する原稿検知部と、前記原稿検知部により前記搬送路の原稿が検知されたときに前記可動ガイド部を原稿の搬送路から退かせる原稿連動手段とを備えている。
【００１４】
この様な本発明によれば、原稿連動手段は、原稿検知部により搬送路の原稿が検知されたときに可動ガイド部を原稿の搬送路から退かせている。このとき、この原稿の搬送路から退いた可動ガイド部が該原稿の搬送を妨げることはない。また、原稿検知部が搬送路の原稿を検知しないときには、可動ガイド部が原稿の搬送路に突出して該原稿の側辺を案内することができる。このため、可動ガイド部及び原稿検知部を適宜の位置に配置すれば、すなわち可動ガイド部により原稿の側辺を案内し得るときに原稿検知部が原稿を検知せず、かつ可動ガイド部に原稿が覆い被さるときに原稿検知部が原稿を検知して可動ガイド部が退く様な配置をなせば、如何なるサイズの原稿も可動ガイド部により案内することができる。
【００１５】
例えば、複数組の可動ガイド部と原稿検知部を原稿の搬送路の適宜の位置にそれぞれ設けておけば、相互に異なるサイズの各原稿をそれぞれの可動ガイド部により案内することができる。
【００１６】
また、本発明においては、前記可動ガイド部により原稿の一方の側辺を案内しているときに該原稿の他方の側辺を案内するガイド板を備え、前記原稿検知部は、前記可動ガイド部よりも前記ガイド板から離間した位置にかつ前記可動ガイド部よりも原稿搬送方向上流側に設けられている。
【００１７】
この様に原稿検知部を可動ガイド部よりもガイド板から離間した位置に設けておけば、ガイド板及び可動ガイド部により原稿の両側辺が案内されているときには、原稿が原稿検知部により検知されることがなく、可動ガイド部による原稿の案内を維持することができる。また、ガイド板と可動ガイド部間よりも原稿の幅が広いときには、原稿の一方の側辺が可動ガイド部の位置を越え、原稿が原稿検知部により検知されて、可動ガイド部材が搬送路から退くので、原稿の搬送が妨げられることがない。
【００１８】
また、この様に原稿検知部を可動ガイド部よりも原稿搬送方向上流側に設けておけば、ガイド板と可動ガイド部間よりも原稿の幅が広いときには、まず原稿が原稿検知部により検知されて、可動ガイド部が搬送路から退いてから、この可動ガイド部があった元の箇所を原稿が通過するので、可動ガイド部材が原稿の搬送を妨げることがない。
【００１９】
更に、本発明においては、前記原稿の幅方向に接近及び離間可能に支持され、原稿の両側辺を案内する一対のガイド板と、前記原稿の幅方向への前記各ガイド板の移動に伴い、該各ガイド板の移動に連動して前記可動ガイド部及び前記原稿検知部を前記原稿の幅方向に移動させるガイド板連動手段とを備えている。
【００２０】
この場合は、各ガイド板により原稿の両側辺を案内し、かつ一方のガイド板と可動ガイド部により他の原稿の両側辺を案内することができる。従って、各ガイド板間で広い幅の原稿を案内し、かつ一方のガイド板と可動ガイド部間で狭い幅の原稿を案内することができる。また、各ガイド板の位置に応じて可動ガイド部及び原稿検知部の位置が決まるので、各原稿の幅の関係が決まる。例えば、各ガイド板間でＡ３サイズの定型用紙を案内しているときには、一方のガイド板と可動ガイド部間でＢ４サイズの定型用紙を案内することができる。
【００２１】
また、本発明においては、前記原稿連動手段は、前記原稿検知部により前記搬送路の原稿が検知されたときに前記可動ガイド部を駆動制御して前記原稿の搬送路から退かせている。
【００２２】
例えば、可動ガイド部を電動アクチュエータにより駆動制御する。
【００２３】
更に、本発明においては、原稿搬送方向と直交する方向に並設された複数組の前記可動ガイド部と前記原稿検知部を備え、前記原稿連動手段は、前記各原稿検知部の少なくとも１つにより前記搬送路の原稿が検知されたときに前記原稿を検知した原稿検知部よりも該原稿が存在する側に位置する全ての可動ガイド部を該原稿の搬送路から退かせている。
【００２４】
この場合は、原稿連動手段により複数の可動ガイド部を移動させるので、可動ガイド部毎に、原稿連動手段を設ける必要がなく、原稿連動手段の構成を簡略化することができる。
【発明の効果】
【００２５】
この様に本発明の原稿送り装置によれば、原稿検知部が搬送路の原稿を検知すると、可動ガイド部が原稿の搬送路から退くので、可動ガイド部が原稿の搬送を妨げることはない。また、原稿検知部が搬送路の原稿を検知しないときには、可動ガイド部が原稿の搬送路に突出して該原稿の側辺を案内することができる。従って、可動ガイド部及び原稿検知部を原稿の搬送路の適宜の位置に配置すれば、如何なるサイズの原稿も可動ガイド部により案内することができる。例えば、複数組の可動ガイド部と原稿検知部を原稿の搬送路の適宜の位置にそれぞれ設けておけば、相互に異なるサイズの各原稿をそれぞれの可動ガイド部により案内することができる。
【発明を実施するための最良の形態】
【００２６】
以下、本発明の実施形態を添付図面を参照しつつ詳細に説明する。
【００２７】
＜実施形態１＞
図１は、本発明の原稿送り装置の実施形態１を側方から見て示す断面図である。また、図２は、本実施形態の原稿送り装置を示す平面図である。本実施形態の原稿送り装置は、例えば原稿を読取って複写する複写機に適用されるものであり、原稿Ｐを原稿トレイ１から引き出して、この原稿Ｐを原稿の読取り窓２まで搬送し、更に原稿Ｐを原稿排紙トレイ３へと搬送して排出する。
【００２８】
この原稿送り装置は、原稿が載置される原稿トレイ１、原稿が排出される原稿排紙トレイ３、及び各トレイ１、３間で原稿を搬送する原稿搬送機構４を備えている。
【００２９】
原稿搬送機構４は、原稿Ｐを原稿トレイ１から引き出し、この原稿Ｐを原稿の読取り窓２を介して原稿排紙トレイ３へと搬送するための搬送路６を備えている。この搬送路６の上流端側（原稿トレイ１の排出側に対向する部分）には、呼び込みローラ８及び一対のサバキローラ９が配設されている。呼び込みローラ８は、連結アーム７の先端に回転自在に支持されており、この連結アーム７の回転移動により呼び込みローラ８の昇降が可能にされている。原稿Ｐが原稿トレイ１に載置される前は、呼び込みローラ８が上方に移動され、この状態で原稿Ｐが原稿トレイ１に載置され、原稿Ｐの先端が原稿トレイ１と呼び込みローラ８間に滑り込んで位置Ａに至る。そして、呼び込みローラ８が下方に移動されると、呼び込みローラ８が原稿Ｐの先端近傍に接触する。この後、呼び込みローラ８が回転されると、呼び込みローラ８により原稿トレイ１の原稿Ｐが引き出され、この原稿Ｐが各サバキローラ９の間を通過して搬送されて行く。
【００３０】
搬送路６の途中には一対のＰＳローラ１０が設けられ、更に下流側に搬送ローラ１１並びに原稿の読取り窓２が設けられ、この原稿の読取り窓２の下方に原稿画像を読取るスキャナー（図示せず）が設けられている。各ＰＳローラ１０は、その回転を一時的に停止されており、各サバキローラ９の間を経由して来た原稿Ｐの先端が該各ＰＳローラ１０に突き当たって、原稿Ｐの先端が該各ＰＳローラ１０と平行に揃えられる。そして、各ＰＳローラ１０は、スキャナー（図示せず）による読取開始時に原稿Ｐの先端が原稿の読取り窓２に達する様なタイミングで、その回転を開始して、原稿Ｐの搬送を開始する。搬送ローラ１１は、原稿Ｐを読取り窓２上で滑らせる様に搬送する。
【００３１】
スキャナーは、原稿Ｐの読取り窓２を通じて、該原稿Ｐの読取り窓２上で副走査方向に搬送される原稿Ｐを照明し、原稿画像を主走査方向に繰り返し読取って、原稿画像全体を読取る。
【００３２】
原稿の読取り窓２の下流側には、一対の原稿排紙ローラ１２及び原稿排紙トレイ３が設けられている。原稿の読取り窓２上を通過して来た原稿Ｐは、各原稿排紙ローラ１２を通じて原稿排紙トレイ３に排出される。
【００３３】
ところで、この様な原稿送り装置においては、原稿の先端を各ＰＳローラ１０と平行に揃えてから、原稿を読取り窓２まで搬送して、原稿画像をスキャナーにより読取り、これにより原稿画像が斜めに読取られることを防止している。
【００３４】
しかしながら、呼び込みローラ８による引き出しに際して原稿が大きく斜行すると、原稿を各ＰＳローラ１０に当接させるだけでは、原稿の先端を各ＰＳローラ１０と平行にすることができなくなる。また、原稿の先端を各ＰＳローラ１０に当接させて揃えることができたとしても、図２１に示す様に原稿Ｐの中心線Ｐｉがスキャナーによる原稿の読取り中心Ｓ1からずれてしまう。
【００３５】
このため、原稿送り装置では、原稿Ｐを案内する一対のガイド板１８ａ、１８ｂを原稿トレイ１に設け、図３に示す様に各ガイド板１８ａ、１８ｂにより原稿Ｐの両側辺を案内して、原稿Ｐの斜行を防止している。また、各ガイド板１８ａ、１８ｂを原稿Ｐの送り出し方向と直交する方向に移動自在に支持し、各ガイド板１８ａ、１８ｂをラックアンドピニオンギア等の伝達機構（図示せず）を通じて連動させて、各ガイド板１８ａ、１８ｂを原稿の読取り中心に対して対称移動させる様にしている。これにより、原稿Ｐの幅に応じて各ガイド板１８ａ、１８ｂ間の距離を調節して、原稿Ｐの読取り中心をずらさずに、各ガイド板１８ａ、１８ｂにより様々な幅の原稿を案内することができる。
【００３６】
ただし、各ガイド板１８ａ、１８ｂ間に載置された複数枚の原稿Ｐの幅が相互に異なっていたならば、最大幅の原稿のみが各ガイド板１８ａ、１８ｂにより案内され、狭い幅の原稿が案内されないので、狭い幅の原稿の斜行が発生する。例えば、図４（ａ）、（ｂ）に示す様に狭い幅の原稿Ｐが各ガイド板１８ａ、１８ｂの一方に接しかつ他方から離間した状態であるとすると、呼び込みローラ８が原稿Ｐの中心線Ｐｉから外れた位置に接触し、呼び込みローラ８の引き出す力が原稿Ｐの中心線Ｐｉから外れた位置に加わるので、原稿Ｐの中心線Ｐｉ上の重心Ｐｊ周りにモーメントが発生し、図４（ｃ）に示す様に原稿Ｐが矢印方向Ｃに斜行する。
【００３７】
そこで、本実施形態では、３個のガイドユニット２１を呼び込みローラ８と各サバキローラ９間に配置し、該各ガイドユニット２１を原稿の搬送方向と直交する方向に並設し、一方のガイド板１８ａと各ガイドユニット２１のいずれかとの間で狭い幅の原稿の両側辺を案内することを可能にし、その斜行を防止している。
【００３８】
図５（ａ）は、ガイドユニット２１を示す側面図である。このガイドユニット２１は、可動ガイド板２２、原稿検知板２３、及びコイルバネ２４を組み合わせたものである。
【００３９】
可動ガイド板２２は、横長の連結片部２２ａと、この連結片部２２ａの上辺左側から突出したガイド片部２２ｂとを有している。この横長の連結片２２ａには、長径孔２２ｃが形成されている。この連結片部２２ａの左側下端部の軸２２ｄが原稿の搬送路６の下方で回動自在に支持され、その上端辺２２ｅがコイルバネ２４を介して搬送路６の裏面に接続され、コイルバネ２４により上端辺２２ｅが搬送路６側に引き上げられている。このとき、横長の連結片部２２ａが原稿の搬送路６と略平行になり、ガイド片部２２ｂが原稿の搬送路６の孔６ａを通じて該搬送路６上方に突出する。
【００４０】
原稿検知板２３は、横長の連結部２３ａと、この連結片部２３ａの上辺右側から突出した検知片部２３ｂとを有している。この横長の連結片部２３ａの右側下端の軸２３ｃが原稿の搬送路６の下方で回動自在に支持され、その左側端部の突起２３ｄが可動ガイド板２２の連結片部２２ａの長径孔２２ｃに移動自在に挿入されている。このとき、原稿検知板２３の連結片部２３ａの突起２３ｄが可動ガイド板２２の連結片部２２ａの長径孔２２ｃにより支持されて、横長の連結片部２３ａが原稿の搬送路６と略平行になり、検知片部２３ｂが原稿の搬送路６の孔６ｂを通じて該搬送路６上方に突出する。
【００４１】
この様に可動ガイド板２２のガイド片部２２ｂ及び原稿検知板２３の検知片部２３ｂが搬送路６上方に突出した状態では、ガイド片部２２ｂにより原稿Ｐの一方の側片を案内することが可能である。
【００４２】
また、図５（ｂ）、（ｃ）及び図６に示す様に原稿Ｐが原稿トレイ１から搬送されて来て、この原稿Ｐの先端が原稿検知板２３の検知片部２３ｂに突き当たると、この検知片部２３ｂが左方向に押される。このため、原稿検知板２３には右側下端の軸２３ｃを中心とする反時計回り方向のモーメントが生じ、この原稿検知板２３が反時計回り方向に回転して、この原稿検知板２３の検知片部２３ｂが搬送路６の下方に沈み込もうとする。このとき、この原稿検知板２３の連結片部２３ａも反時計回り方向に回転して下方に移動し、連結片部２３ａの突起２３ｄが可動ガイド板２２の連結片部２２ａの長径孔２２ｃを押し下げ、可動ガイド板２２に左側下端の軸２２ｄを中心とする時計周り方向のモーメントが生じる。この可動ガイド板２２の時計周り方向のモーメントがコイルバネ２４の弾性力に打ち勝って、この可動ガイド板２２が時計回りに回転し、この可動ガイド板２２のガイド片２２ｂが時計回り方向に回転して原稿の搬送路６の下方に沈み込み、同時に原稿検知板２３の検知片部２３ｂが原稿の搬送路６の下方に沈み込む。
【００４３】
そして、原稿Ｐが原稿検知板２３の検知片部２３ｂの部位を通っている間は、原稿Ｐの重量が検知片部２３ｂを原稿の搬送路６の下方に押し下げているので、ガイド片部２２ｂも原稿の搬送路６の下方に沈み込んだ状態が維持される。
【００４４】
すなわち、原稿トレイ１から搬送されて来た原稿Ｐが原稿検知板２３の検知片部２３ｂの部位を通過するときには、可動ガイド板２２のガイド片部２２ｂ及び原稿検知板２３の検知片部２３ｂが搬送路６下方に沈み込み、原稿Ｐがガイド片部２２ｂ及び検知片部２３ｂの上を通過して行く。
【００４５】
更に、原稿Ｐが原稿検知板２３の検知片部２３ｂの部位を通過した後は、この検知片部２３ｂが原稿Ｐの重量から開放されるので、コイルバネ２４により可動ガイド板２２の連結片部２２ａが搬送路６側に引き上げられ、これに連動して原稿検知板２３の連結片部２３ａも搬送路６側に引き上げられ、検知片部２３ｂ及びガイド片２２ｂが原稿の搬送路６の上方に突出して、元の状態に戻る。
【００４６】
一方、図２に示す様に原稿検知板２３を可動ガイド板２２よりも一方のガイド板１８ａから離間した位置に設けているので、ガイド板１８ａと可動ガイド部２２のガイド片部２２ｂにより原稿の両側辺が案内されているときには、原稿が原稿検知板２３の検知片部２３ｂに接することがなく、可動ガイド板２２のガイド片部２２ｂが下方に沈み込まず、このガイド片部２２ｂによる原稿の案内を維持することができる。そして、ガイド板１８ａと可動ガイド板２２のガイド片部２２ｂ間よりも原稿の幅が広いときには、原稿の先端が原稿検知板２３の検知片部２３ｂに突き当たって、ガイド片部２２ｂが搬送路から退くので、原稿の搬送が妨げられることがない。
【００４７】
例えば、図７に示す様にポジションＰ１にあるガイドユニット２１については、原稿Ｐが原稿検知板２３の検知片部２３ｂに接していないことから、可動ガイド部２２のガイド片部２２ｂが下方に沈み込まず、ガイド板１８ａと該ガイド片部２２ｂにより原稿Ｐの両側辺を案内することができる。
【００４８】
また、原稿検知板２３を可動ガイド板２２よりも原稿搬送方向上流側に設けているので、まず原稿の先端が原稿検知板２３の検知片部２３ｂが突き当たって、検知片部２３ｂ及びガイド片２２ｂが搬送路６の下方に沈み込んでから、これらの検知片部２３ｂ及びガイド片２２ｂの上を原稿が通過するので、原稿の搬送が妨げられることはない。
【００４９】
例えば、図７に示す様に各ポジションＰ２、Ｐ３にあるそれぞれのガイドユニット２１については、原稿Ｐの先端が原稿検知板２３の検知片部２３ｂに突き当たって、検知片部２３ｂ及びガイド片２２ｂが搬送路６の下方に沈み込んでから、原稿Ｐが通過する。
【００５０】
各ガイドユニット２１の位置は、各ガイド板１８ａ、１８ｂの位置に応じてそれぞれ設定される。例えば、各ガイド板１８ａ、１８ｂにより定型サイズＡ３の横置き原稿又は定型サイズＡ４の縦置き原稿（幅が２９７ｍｍ）が案内されているときには、ガイド板１８ａとポジションＰ１のガイドユニット２１のガイド片部２２ｂにより定型サイズＢ４の横置き原稿又は定型サイズＢ５の縦置き原稿（幅が２５７ｍｍ）が案内される様にポジションＰ１のガイドユニット２１を位置決めする。また、各ガイド板１８ａ、１８ｂにより定型サイズＢ４の横置き原稿（幅が２５７ｍｍ）が案内されているときには、ガイド板１８ａとポジションＰ２のガイドユニット２１のガイド片部２２ｂにより定型サイズＡ４の横置き原稿（幅が２１０ｍｍ）が案内される様に、更に各ガイド板１８ａ、１８ｂにより定型サイズＡ４の横置き原稿（幅が２１０ｍｍ）が案内されているときには、ガイド板１８ａとポジションＰ３のガイドユニット２１のガイド片部２２ｂにより定型サイズＢ５の横置き原稿（幅が１８２ｍｍ）が案内される様に、各ポジションＰ２、Ｐ３のガイドユニット２１を位置決めする。
【００５１】
この様な構成の原稿送り装置においては、広い幅の原稿と狭い幅の原稿を原稿トレイ１に混在させて載置する際に、全ての原稿の一側辺を一方のガイド板１８ａに当接させた上で、各ガイド板１８ａ、１８ｂを対称移動させて、各ガイド板１８ａ、１８ｂ間の離間距離を広い幅の原稿に合わせる。これにより、各ガイド板１８ａ、１８ｂ間で広い幅の原稿を案内することが可能になり、かつ一方のガイド板１８ａと各ガイドユニット２１のいずれかとの間で狭い幅の原稿を案内することができ、それらの斜行を防止することができる。
【００５２】
また、各ガイドユニット２１を呼び出しローラ８と各サバキローラ９間に配置しているので、各ガイドユニット２１が原稿トレイ１への原稿の載置に邪魔になることがない。
【００５３】
＜実施形態２＞
図８は、本発明の原稿送り装置の実施形態２を示す平面図である。尚、図８において図１及び図２の装置と同様の作用を果たす部位には同じ符号を付す。
【００５４】
本実施形態では、図１及び図２の装置の様に３個のガイドユニット２１を原稿の搬送方向と直交する方向に並設する代わりに、１個のガイドユニット２１を移動体３１に搭載して、移動体３１を原稿の搬送方向と直交する方向に移動自在に支持し、ガイドユニット２１並びに移動体３１を各ガイド板１８ａ、１８ｂに連動させて移動させている。
【００５５】
図９は、移動体３１の内部構造を示す平面図である。ガイドユニット２１の可動ガイド板２２の軸２２ｄ及び原稿検知板２３の軸２３ｃは、移動体３１の筐体３１ａの各側壁３１ｂで支持されており、原稿検知板２３の突起２３ｄが可動ガイド板２２の長径孔２２ｃに移動自在に挿入されている。
【００５６】
図１０及び図１１は、移動体３１を示す側面図及び平面図である。移動体３１の天板の孔からは、可動ガイド板２２のガイド片部２２ｂ及び原稿検知板２３の検知片部２３ｂが突出している。また、この移動体３１の筐体３１ａは、原稿の搬送方向と直交する方向に架け渡されて装置本体に固定されたガイドシャフト３２に挿通され、このガイドシャフト３２に沿って移動自在に支持されている。
【００５７】
そして、図８に示す様に装置本体側と移動体３１間にコイルバネ３３が介在しており、このコイルバネ３３により移動体３１がガイド板１８ｂ側に付勢されている。
【００５８】
図１２（ａ）は、ガイドユニット２１並びに移動体３１を各ガイド板１８ａ、１８ｂに連動させて移動させるための機構を示す平面図である。各ガイド板１８ａ、１８ｂは、原稿Ｐの送り出し方向と直交する方向に移動自在に支持されている。また、各ガイド板１８ａ、１８ｂは、Ｌ字型であって、それらの相互に対向する辺にラックギア３４ａ、３４ｂを有している。各ガイド板１８ａ、１８ｂのラックギア３４ａ、３４ｂ間にはピニオンギア３５を挟み込んでいる。各ガイド板１８ａ、１８ｂの一方を原稿の搬送方向と直交する方向に移動させると、この一方のラックギアが移動して、この一方のラックギアの移動がピニオンギア３５を介して他方のラックギアに伝達され、この他方のラックギアが該一方のラックギアとは反対方向に移動する。これにより、各ガイド板１８ａ、１８ｂが原稿の読取り中心に対して対称移動する。
【００５９】
また、ガイド板１８ｂのラックギア３４ｂにはギア３６が歯合され、このギア３６にギア３７が歯合されている。ギア３７は、カム３８の一端に固定されており、このカム３８が該ギア３７の軸周りで該ギア３７と共に回動する。
【００６０】
更に、先に述べた様に移動体３１がコイルバネ３３によりガイド板１８ｂ側に付勢されており、この付勢方向にあるカム３８の摺接面３８ａに移動体３１の凸部３１ｃが押し付けられている。
【００６１】
この様な構成において、図１２（ｂ）に示す様に各ガイド板１８ａ、１８ｂが原稿の読取り中心に対して対称移動されると、ラックギア３４ｂが移動して、ギア３６が回転し、ギア３７並びにカム３８が回転する。このカム３８の回転に伴い、カム３８の摺接面３８ａが回転移動すると、移動体３１の凸部３１ｃがカム３８の摺接面３８ａに沿って滑動して、移動体３１並びにガイドユニット２１が原稿の搬送方向と直交する方向に移動する。したがって、移動体３１並びにガイドユニット２１は、各ガイド板１８ａ、１８ｂの対称移動に連動して移動する。そして、移動体３１並びにガイドユニット２１の位置が各ガイド板１８ａ、１８ｂの位置に応じて決まる。
【００６２】
移動体３１並びにガイドユニット２１の位置と各ガイド板１８ａ、１８ｂの位置との関係は、各ギア３６、３７のギア比やカム３８の摺接面３８ａの形状等を調節することにより適宜に設定することができる。例えば、各ガイド板１８ａ、１８ｂ間で定型サイズＡ３の横置き原稿又は定型サイズＡ４の縦置き原稿を案内し得る位置に該各ガイド板１８ａ、１８ｂが移動されたときには、一方のガイド板１８ａとガイドユニット２１のガイド片部２２ｂ間で定型サイズＢ４の横置き原稿又は定型サイズＢ５の縦置き原稿を案内し得る位置に移動体３１並びにガイドユニット２１が移動される様にする。また、各ガイド板１８ａ、１８ｂ間で定型サイズＢ４の横置き原稿を案内し得る位置に該各ガイド板１８ａ、１８ｂが移動されたときには、一方のガイド板１８ａとガイドユニット２１のガイド片部２２ｂ間で定型サイズＡ４の横置き原稿を案内し得る位置に移動体３１並びにガイドユニット２１が移動される様にする。
【００６３】
本実施形態の原稿送り装置においても、広い幅の原稿と狭い幅の原稿を原稿トレイ１に混在させて載置する際には、全ての原稿の一側辺を一方のガイド板１８ａに当接させた上で、各ガイド板１８ａ、１８ｂを対称移動させて、各ガイド板１８ａ、１８ｂ間の離間距離を広い幅の原稿に合わせる。これにより、各ガイド板１８ａ、１８ｂ間で広い幅の原稿を案内したり、一方のガイド板１８ａとガイドユニット２１間で狭い幅の原稿を案内することができ、それらの斜行を防止することができる。
【００６４】
＜実施形態３＞
図１３は、本発明の原稿送り装置の実施形態３におけるガイドユニットを示す側面図である。また、図１４は、本実施形態のガイドユニットの配置態様を概略的に示す平面図である。尚、図１３及び図１４において図１及び図２の装置と同様の作用を果たす部位には同じ符号を付す。
【００６５】
本実施形態のガイドユニット４１は、図１及び図２のガイドユニット２１の代わりに用いられるものであり、ガイドユニット２１と同様に、複数個のガイドユニット４１が原稿の搬送方向と直交する方向に並設される。
【００６６】
図１３に示す様にガイドユニット４１は、原稿の搬送路６の下方に固定されたソレノイド４２と、このソレノイド４２のプランジャー４２ａに固定されたガイド片部４３と、検知片部４４と、この検知片部４４が原稿の搬送路６の下方に沈み込んだか否かを検出するフォトセンサ４５と、このフォトセンサ４５の検出出力に基づいてソレノイド４２を駆動制御する駆動制御部４６とを備えている。
【００６７】
ソレノイド４２のプランジャー４２ａの先端は、コイルバネ４７を介して原稿の搬送路６の裏面に接続されている。ソレノイド４２が消勢された状態では、このコイルバネ４７によりプランジャー４２ａが上方に引き上げられて、プランジャー４２ａに固定されたガイド片部４３が原稿の搬送路６上方に突出する。
【００６８】
また、検知片部４４は、その軸４８を原稿の搬送路６の下方で支持されており、コイルバネ（図示せず）が軸４８に挿通され、このコイルバネの両端が検知片部４４と軸４８にそれぞれ固定され、このコイルバネにより検知片部４４が軸４８周りで弾性的に支持され、原稿の搬送路６の上方に突出した検知片部４４の姿勢が支持される。
【００６９】
この検知片部４４が搬送路６の上方に突出した状態では検知片部４４の一端４４ａがフォトセンサ４５の発光素子と受光素子間にあり、この状態がフォトセンサ４５により検出される。
【００７０】
駆動制御部４６は、フォトセンサ４５の検出出力に基づいて検知片部４４が搬送路６の上方に突出しているか否かを判定しており、検知片部４４が搬送路６の上方に突出していると判定したならば、ソレノイド４２を付勢せず、ガイド片部４３が原稿の搬送路６上方に突出した状態を維持する。
【００７１】
また、図１５に示す様に原稿Ｐが原稿トレイ１から搬送されて来ると、この原稿Ｐの先端が検知片部４４に突き当たって、この検知片部４４が左方向に押し倒されて搬送路６の下方に沈み込む。このとき、検知片部４４の一端４４ａがフォトセンサ４５の部位から外れて、フォトセンサ４５の検出出力が変化する。駆動制御部４６は、このときのフォトセンサ４５の検出出力に基づいて検知片部４４が搬送路６の下方に沈み込んだと判定し、ソレノイド４２を付勢する。これにより、ソレノイド４２のプランジャー４２ａが下方に引き下げられて、プランジャー４２ａに固定されたガイド片部４３が原稿の搬送路６下方に沈み込む。
【００７２】
そして、原稿Ｐが検知片部４４の部位を通っている間は、原稿Ｐの重量が検知片部４４を原稿の搬送路６の下方に押し下げているので、ガイド片部４３も原稿の搬送路６の下方に沈み込んだ状態が維持される。
【００７３】
更に、原稿Ｐが検知片部４４の部位を通過した後は、この検知片部４４が原稿Ｐの重量から開放されて搬送路６の上方に突出するので、検知片部４４が搬送路６の上方に突出していると判定され、ソレノイド４２が消勢され、ソレノイド４２のプランジャー４２ａが上方に引き上げられて、プランジャー４２ａに固定されたガイド片部４３が原稿の搬送路６の上方に突出して、元の状態に戻る。
【００７４】
本実施形態の原稿送り装置でも、検知片部４４をガイド片部４３よりも一方のガイド板１８ａから離間した位置に設け、検知片部４４をガイド片部４３よりも原稿搬送方向上流側に設けている。このため、例えば図１４に示す様にポジションＰ１にあるガイドユニット４１については、原稿Ｐが検知片部４４に接しておらず、ガイド片部４３が下方に沈み込まず、ガイド板１８ａと該ガイド片部４３により原稿Ｐの両側辺を案内することができる。また、各ポジションＰ２、Ｐ３にあるそれぞれのガイドユニット４１については、原稿Ｐの先端が検知片部４４に突き当たって、検知片部２３ｂ及びガイド片部４３が搬送路６の下方に沈み込んでから、これらの検知片部２３ｂ及びガイド片部４３の上を原稿が通過する。
【００７５】
また、図１及び図２の各ガイドユニット２１と同様の位置に各ガイドユニット４１を配置している。
【００７６】
従って、本実施形態の原稿送り装置でも、各ガイド板１８ａ、１８ｂにより広い幅の原稿を案内したり、一方のガイド板１８ａと各ガイドユニット２１のいずれかとの間で狭い幅の原稿の両側辺を案内することができ、それらの斜行を防止することができる。
【００７７】
＜実施形態４＞
図１６は、本発明の原稿送り装置の実施形態４を部分的に示す平面図である。本実施形態の装置では、図１３のガイドユニット４１の代わりに、３個のガイドユニット４１Ａを原稿搬送方向と直交する方向に並設している。
【００７８】
また、カム板５１を原稿搬送方向と直交する方向に移動自在に支持し、カム板５１の側片のラックギア５１ａに歯合するウォームギア５２を設けている。そして、モータ５３の出力軸の回転を２枚のギア５４を介してウォームギア５２に伝達し、ウォームギア５２を回転させて、カム板５１のラックギア５１ａを該カム板５１と共に原稿搬送方向と直交する方向に移動させる。
【００７９】
図１６の状態では、カム板５１の側片５１ｂが各ガイドユニット４１Ａのいずれにも交錯していない。図１７（ａ）、（ｂ）、（ｃ）に示す様にモータ５３によりカム板５１のラックギア５１ａを原稿搬送方向と直交する方向に徐々に移動させて行くと、カム板５１の摺接辺５１ｂが各ガイドユニット４１Ａに順次交錯して行く。
【００８０】
図１８（ａ）は、ガイドユニット４１Ａを示す側面図である。このガイドユニット４１Ａは、ガイド片部５５の軸５６を原稿の搬送路６の下方で支持し、ガイド片部５５の下端をコイルバネ５７を介して原稿送り装置の本体側に連結している。このコイルバネ５７によりガイド片部５５が軸５６周りで弾性的に支持され、原稿の搬送路６の上方に突出したガイド片部５５の姿勢が支持される。
【００８１】
また、カム板５１がガイドユニット４１Ａ側に移動されて来ると、図１８（ｂ）に示す様にカム板５１の摺接辺５１ｂがガイドユニット４１Ａのガイド片部５５の下端部に接して、ガイド片部５５の下端部が右側に押されて、ガイド片部５５が軸５６周りで回転し、ガイド片部５５が原稿の搬送路６の下方に沈み込む。
【００８２】
検知片部４４及びフォトセンサ４５は、図１３と同様のものである。原稿Ｐの先端が検知片部４４に突き当たって、この検知片部４４が左方向に押し倒されて搬送路６の下方に沈み込むと、検知片部４４の一端４４ａがフォトセンサ４５の部位から外れて、フォトセンサ４５の検出出力が変化する。
【００８３】
駆動制御部５３は、各ガイドユニット４１Ａのフォトセンサ４５の検出出力に基づいて該各ガイドユニット４１Ａの検知片部４４が搬送路６の下方に沈み込んだか否かを判定しており、いずれかの検知片部４４が搬送路６の下方に沈み込んだと判定すると、モータ５３を駆動制御して、この沈み込んだ検知片部４４の位置までカム板５１の摺接辺５１ｂを原稿搬送方向と直交する方向に移動させる。
【００８４】
例えば、図１７（ａ）に示す様に原稿Ｐの先端がポジションＰ３にあるガイドユニット４１Ａの検知片部４４に突き当たって、この検知片部４４が搬送路６の下方に沈み込むと、駆動制御部５３は、該ガイドユニット４１Ａのフォトセンサ４５の検出出力に基づいて該検知片部４４が搬送路６の下方に沈み込んだと判定し、モータ５３を駆動制御して、ポジションＰ３までカム板５１の摺接辺５１ｂを移動させる。これにより、カム板５１の摺接辺５１ｂがポジションＰ３にあるガイドユニット４１Ａのガイド片部５５の下端部に接して、ガイド片部５５が原稿の搬送路６の下方に沈み込む。このため、ポジションＰ３にあるガイドユニット４１Ａのガイド片部５５が原稿Ｐの搬送を妨げることはない。
【００８５】
また、図１７（ｂ）に示す様に原稿Ｐの先端が各ポジションＰ３、Ｐ２にある各ガイドユニット４１Ａの検知片部４４に突き当たって、これらの検知片部４４が搬送路６の下方に沈み込むと、駆動制御部５３は、該各ガイドユニット４１Ａのフォトセンサ４５の検出出力に基づいて該各検知片部４４が搬送路６の下方に沈み込んだと判定し、モータ５３を駆動制御して、ポジションＰ２までカム板５１の摺接辺５１ｂを移動させる。これにより、カム板５１の摺接辺５１ｂが各ポジションＰ３、Ｐ２のガイド片部５５の下端近傍に接して、各ガイド片部５５が原稿の搬送路６の下方に沈み込む。このため、各ポジションＰ３、Ｐ２のガイド片部５５が原稿Ｐの搬送を妨げることはない。
【００８６】
同様に、図１７（ｃ）に示す様に原稿Ｐの先端が各ポジションＰ３、Ｐ２、Ｐ１にある各ガイドユニット４１Ａの検知片部４４に突き当たって、これらの検知片部４４が搬送路６の下方に沈み込むと、ポジションＰ１までカム板５１の摺接辺５１ｂが移動され、各ポジションＰ３、Ｐ２、Ｐ１の各ガイド片部５５が原稿の搬送路６の下方に沈み込む。
【００８７】
勿論、図１及び図２の各ガイドユニット２１と同様の位置に各ガイドユニット４１Ａのガイド片部５５を配置しており、各ガイド板１８ａ、１８ｂにより最大幅の原稿を案内したり、一方のガイド板１８ａと各ガイドユニット２１のいずれかとの間で狭い幅の原稿の両側辺を案内することができる。
【００８８】
この様な原稿送り装置では、ガイドユニット毎に、ソレノイド等の駆動源を設ける必要がなく、１つのモータとカム機構の組み合わせだけで済むので、部品点数を減らして、構成を簡略化することができる。
【００８９】
尚、本発明は、上記各実施形態に限定されるものではなく、多様に変形することができる。例えば、ガイドユニットの形状、サイズ、個数、位置等を適宜に変更しても構わない。
【００９０】
また、各実施形態３、４においては、検知片部４４及びフォトセンサ４５の代わりに、原稿を非接触で検出する反射型光センサ等を適用することもできる。
【図面の簡単な説明】
【００９１】
【図１】本発明の原稿送り装置の実施形態１を側方から見て示す側面図である。
【図２】図１の原稿送り装置を示す平面図である。
【図３】図１の原稿送り装置における各ガイド板により原稿を案内している状態を示す平面図である。
【図４】（ａ）〜（ｃ）は原稿の斜行が生じる現象及び斜行の抑制作用を説明するために用いた図である。
【図５】（ａ）は図１の原稿送り装置におけるガイドユニットを示す側面図であり、（ｂ）及び（ｃ）はガイドユニットの動作を示す側面図である。
【図６】図１の原稿送り装置におけるガイドユニットの動作を示す側面図である。
【図７】図１の原稿送り装置における一方のガイド板とガイドユニットの間で原稿を案内している状態を示す平面図である。
【図８】本発明の原稿送り装置の実施形態２を示す平面図である。
【図９】図８の装置における移動体の内部構造を示す平面図である。
【図１０】図８の装置における移動体を示す側面図である。
【図１１】図８の装置における移動体を示す平面図である。
【図１２】（ａ）及び（ｂ）は図８の装置における移動体と各ガイド板とを連動させて移動させるための機構及び動作を示す平面図である。
【図１３】本発明の原稿送り装置の実施形態３におけるガイドユニットを示す側面図である。
【図１４】図１３の装置におけるガイドユニットの配置態様を概略的に示す平面図である。
【図１５】図１３の装置におけるガイドユニットの動作を示す側面図である。
【図１６】本発明の原稿送り装置の実施形態４を部分的に示す平面図である。
【図１７】（ａ）、（ｂ）、（ｃ）は図１６の装置の動作を示す平面図である。
【図１８】（ａ）及び（ｂ）は図１６の装置におけるガイドユニット及びその動作を示す側面図である。
【図１９】従来の装置を概略的に示す側面図である。
【図２０】図１９装置を概略的に示す平面図である。
【図２１】原稿の中心ずれを説明するために用いた図である。
【符号の説明】
【００９２】
１  原稿トレイ
２  原稿の読取り窓
３  原稿排紙トレイ
４  原稿搬送機構
６  搬送路
７  連結アーム
８  呼び込みローラ
９  サバキローラ
１０  ＰＳローラ
１１  搬送ローラ
１２  原稿排紙ローラ
１８ａ、１８ｂ  ガイド板
２１、４１  ガイドユニット
２２  可動ガイド板
２３  原稿検知板
２４  コイルバネ
３１  移動体
３２  ガイドシャフト
３３  コイルバネ
３４ａ、３４ｂ  ラックギア
３５  ピニオンギア
３６、３７、５４  ギア
３８  カム
４２  ソレノイド
４３  ガイド片部
４４  検知片部
４５  フォトセンサ
４６、５５  駆動制御部
５１  カム板
５２  ウォームギア
５３  モータ
【図１】
2007153532.tif 000003
【図２】
2007153532.tif 000004
【図３】
2007153532.tif 000005
【図４】
2007153532.tif 000006
【図５】
2007153532.tif 000007
【図６】
2007153532.tif 000008
【図７】
2007153532.tif 000009
【図８】
2007153532.tif 000010
【図９】
2007153532.tif 000011
【図１０】
2007153532.tif 000012
【図１１】
2007153532.tif 000013
【図１２】
2007153532.tif 000014
【図１３】
2007153532.tif 000015
【図１４】
2007153532.tif 000016
【図１５】
2007153532.tif 000017
【図１６】
2007153532.tif 000018
【図１７】
2007153532.tif 000019
【図１８】
2007153532.tif 000020
【図１９】
2007153532.tif 000021
【図２０】
2007153532.tif 000022
【図２１】
2007153532.tif 000023